(57)【特許請求の範囲】
【請求項１】
窓が設けられた外壁と、
前記窓の両側部において前記外壁に固定され、上下方向に延在する一対の側部装飾部材と、
前記窓の下部において前記外壁に固定され、正面視において前記側部装飾部材と交差する下部装飾部材とを備え、
前記各側部装飾部材は、上下方向に延在する空洞部を有し、
前記下部装飾部材は、前記各側部装飾部材の空洞部に連通する下部空洞部を有する、建物。
【請求項２】
前記窓の上部において前記外壁に固定され、正面視において前記側部装飾部材と交差する上部装飾部材をさらに備える、請求項１に記載の建物。
【請求項３】
前記外壁に固定され、前記上部装飾部材を挟んで前記側部装飾部材と整列した位置で上下方向に延びる一対の縦装飾部材をさらに備える、請求項２に記載の建物。
【請求項４】
前記外壁は、複数階に亘って延在し、
下階側の前記窓の上部において前記外壁に固定され、正面視において下階側の前記側部装飾部材と交差し、かつ、前記側部装飾部材の空洞部に連通する上部空洞部を有する上部装飾部材と、
正面視において前記上部装飾部材と上階側の前記下部装飾部材とに交差する縦装飾部材とを備え、
前記縦装飾部材は、前記上部空洞部および前記下部空洞部と連通する空洞部を有する、請求項１に記載の建物。
【請求項５】
前記外壁は、複数階に亘って延在し、
前記側部装飾部材は、異なる階に設けられた複数の窓に隣接または近接するように、複数階に亘って上下方向に延びている、請求項１または２に記載の建物。
【請求項６】
窓が設けられた外壁と、
前記窓の両側部において前記外壁に固定され、上下方向に延在する一対の側部装飾部材とを備え、
前記外壁は、複数階に亘って延在し、
上下方向において互いに隣接する上階および下階にそれぞれ位置する前記窓の横幅寸法は、異なっており、
横幅寸法の大きい方の前記窓に隣接する前記側部装飾部材は、複数階に亘って上下方向に延び、横幅寸法の小さい方の前記窓の両側部に位置する前記側部装飾部材とは間隔をあけて配置され、
前記各側部装飾部材は、上下方向に延在する空洞部を有する、建物。
【発明の詳細な説明】
【技術分野】
【０００１】
本発明は、建物に関し、特に、外壁に複数の窓が並べられた、低層ホテルなどの建物に関する。
【背景技術】
【０００２】
空調機の室外機や配管といった外部設備部材が露出すると、意匠性が低下することから、従来から、外壁面に取付けられる外部設備部材をカバー材で被覆した建物が存在する。
【０００３】
たとえば、特開２０００−１９２６４４号公報（特許文献１）では、外壁面の中央部に外部設備部材をまとめて配置し、これらの外部設備部材を、複数階分の高さのある化粧カバーで完全に被覆する構成が開示されている。
【先行技術文献】
【特許文献】
【０００４】
【特許文献１】特開２０００−１９２６４４号公報
【発明の概要】
【発明が解決しようとする課題】
【０００５】
ホテルなどの宿泊施設、あるいは、集合住宅では、外壁に複数の窓が規則的に配置されるため、単調な印象となりがちである。特にリゾート地などに建てられる宿泊施設においては、デザイン性のある外観が求められている。上記特許文献１のように、単に、外部設備部材を化粧カバーで被覆するだけでは、外観のデザイン性を向上させることができない。
【０００６】
本発明は、上記のような課題を解決するためになされたものであって、その目的は、外観のデザイン性を向上させることのできる建物を提供することである。
【課題を解決するための手段】
【０００７】
この発明のある局面に従う建物は、窓が設けられた外壁と、窓の両側部において外壁に固定され、上下方向に延在する一対の側部装飾部材とを備え、各側部装飾部材は、上下方向に延在する空洞部を有する。
【０００８】
好ましくは、建物は、窓の下部において外壁に固定され、正面視において側部装飾部材と交差する下部装飾部材をさらに備える。下部装飾部材は、各側部装飾部材の空洞部に連通する下部空洞部を有する。
【０００９】
また、建物は、窓の上部において外壁に固定され、正面視において側部装飾部材と交差する上部装飾部材をさらに備えることが望ましい。
【００１０】
好ましくは、建物は、外壁に固定され、上部装飾部材を挟んで側部装飾部材と整列した位置で上下方向に延びる一対の縦装飾部材をさらに備える。一対の縦装飾部材の一方には、通気用の開口が設けられていてもよい。
【００１１】
上記外壁は、複数階に亘って延在していることが望ましい。この場合、建物は、下階側の窓の上部において外壁に固定され、正面視において下階側の側部装飾部材と交差し、かつ、側部装飾部材の空洞部に連通する上部空洞部を有する上部装飾部材と、正面視において上部装飾部材と上階側の下部装飾部材とに交差する縦装飾部材とを備え、縦装飾部材は、上部空洞部および下部空洞部と連通する空洞部を有することが望ましい。
【００１２】
外壁が、複数階に亘って延在している場合、側部装飾部材は、異なる階に設けられた複数の窓に隣接または近接するように、複数階に亘って上下方向に延びていてもよい。
【００１３】
上下方向において互いに隣接する上階および下階にそれぞれ位置する窓の横幅寸法は、異なっていてもよい。この場合、横幅寸法の大きい方の窓に隣接する側部装飾部材は、複数階に亘って上下方向に延び、横幅寸法の小さい方の窓の両側部に位置する側部装飾部材とは間隔をあけて配置される。
【００１４】
建物は、外壁の外縁部に配置された外縁装飾部材をさらに備えていてもよい。
【発明の効果】
【００１５】
本発明によれば、外観のデザイン性を向上させることができる。
【図面の簡単な説明】
【００１６】
【図１】本発明の実施の形態１に係る建物の外観を模式的に示す正面図である。
【図２】図１の一部分を拡大して示す模式図である。
【図３】図２のＩＩＩ−ＩＩＩ線に沿う縦断面図である。
【図４】図２のＩＶ−ＩＶ線に沿う横断面図である。
【図５】図２のＶ−Ｖ線に沿う横断面図である。
【図６】本発明の実施の形態２に係る建物の外観を模式的に示す正面図である。
【図７】図６のＶＩＩ−ＶＩＩ線に沿う横断面図である。
【発明を実施するための形態】
【００１７】
本発明の実施の形態について図面を参照しながら詳細に説明する。なお、図中同一または相当部分には同一符号を付してその説明は繰返さない。
【００１８】
＜実施の形態１＞
はじめに、図１を参照して、本実施の形態に係る建物１の全体的な外観例について説明する。図１には、建物１の外壁１０を正面から見た外観例が示されており、外壁１０の上下方向および横幅方向が、それぞれ矢印Ａ１，Ａ２で示されている。
【００１９】
建物１は、たとえば３階建てのホテル（宿泊施設）である。建物１の階数は特に限定されないが、建物１は５階以下の低層（１階建てを含む）の建物であることが望ましい。建物１の屋根１３は平坦な陸屋根である。
【００２０】
外壁１０は、建物１の外郭を形成する複数の側面のうちの一つを構成し、屋外の通路に面しているなど、外部から見える位置に配置されている。建物１の外壁１０には、複数の窓２０が設けられている。窓２０は、建物１内の客室（部屋）ごとに設けられており、各階に複数個（たとえば２つ）設けられている。
【００２１】
窓２０の前方（屋外側）にはバルコニーやベランダがなく、窓２０の全体が外部から視認できる。窓２０はいわゆる腰高窓であり、各階の床面レベルよりも８０〜９０ｃｍ程度上方に離れた位置に配置されている。なお、外壁１０の地上階にエントランス（図示せず）が設けられる場合には、２階以上の階にだけ窓２０が設けられていてもよい。
【００２２】
本実施の形態では、大きさおよび形状が同じ複数の窓２０が、外壁１０の上下方向および横幅方向に沿って整列して設けられている。窓２０の形状は、典型的には矩形状である。窓２０は、図２に示されるように、窓枠（サッシ）２１と、窓枠２１に対し、開閉可能または開閉不能に嵌め入れられたガラス窓２２とで構成される。
【００２３】
本実施の形態では、外壁１０の表面側に複数種類の装飾部材が設けられている。「装飾部材」とは、その表面（正面側に表われる面）に装飾が施された部材をいう。具体的には、装飾部材の表面に、凹部、凸部、段差、湾曲面が形成されることにより装飾が施されてもよいし、各部材自体をたとえば柵状（格子状を含む）に構成することによって装飾が施されてもよい。つまり、装飾部材は、外壁１０の表面と平行な平坦面ではない表面を有している。なお、装飾部材の表面に、色彩による模様が形成されることにより装飾が施されていてもよく、この場合、装飾部材の表面は平坦面であってもよい。
【００２４】
図１に示されるように、外壁１０の外縁部には、大型の外縁装飾部材７１，７２が設けられている。外縁装飾部材７１は、外壁１０の上端部に位置し、外壁１０の全幅に亘り横幅方向に延在している。外縁装飾部材７１の表面には、たとえば上下方向に段差が設けられている。また、外縁装飾部材７２は、外壁１０の両側部にそれぞれ位置し、地上から外縁装飾部材７１にまで上方に延在する柱状の装飾部材である。外縁装飾部材７２は、たとえば半円状に形成されており、外縁装飾部材７２の表面は湾曲している。
【００２５】
さらに、各窓２０の四方を囲むように、一対の側部装飾部材３０、上部装飾部材４０、および下部装飾部材５０が、外壁１０の表面に固定されている。これらの装飾部材３０，４０，５０は、配管等を隠すことを目的とした単なるカバー材（化粧材）とは異なり、窓２０との関係においてデザイン性を有する部材である。装飾部材３０，４０，５０の装飾は、同じである必要はないが、全体的に見て調和のとれたデザイン（装飾）であることが望ましい。
【００２６】
以下に、図２〜図４を参照しながら、窓２０の周囲に配置される装飾部材３０，４０，５０について詳細に説明する。図２は、図１の一部分（想像線で示す楕円ＩＩで囲まれた部分）の拡大図である。図３は、図２のＩＩＩ−ＩＩＩ線に沿う縦断面図である。図４は、図２のＩＶ−ＩＶ線に沿う横断面図である。
【００２７】
一対の側部装飾部材３０は、窓２０の両側部において上下方向に延びている。各側部装飾部材３０は、窓２０の両側端に隣接または近接し、少なくとも窓２０の下端高さから上端高さにまで延びている。つまり、各側部装飾部材３０の高さ寸法は、窓２０の高さ寸法以上である。各側部装飾部材３０の横幅寸法Ｌ１は、たとえば、窓２０の横幅寸法Ｌ２の１／４以上、１／２以下である。
【００２８】
図４に示されるように、側部装飾部材３０は、たとえば略矩形状断面を有する管状の外郭部３１と、外郭部３１内に形成された空洞部３２とで構成されている。このように、側部装飾部材３０は、上下方向に延在する空洞部３２を有している。外郭部３１は、外壁１０の表面に当接する当接部３１ｃを有し、この当接部３１ｃが外壁１０に接着されることによって、側部装飾部材３０が固定される。他の装飾部材も、同様の方法で外壁１０に固定されてもよい。
【００２９】
なお、側部装飾部材３０が上下方向に延びる空洞部３２を有しさえすれば、側部装飾部材３０の外郭部３１は管状でなくてもよい。たとえば、図示しない実施形態として、側部装飾部材３０の外郭部の形状をＵ字状またはＣ字状としてもよい。このような場合、この外郭部と外壁１０の表面との間に形成される空間が、側部装飾部材３０の空洞部３２として形成される。
【００３０】
本実施の形態において、外郭部３１の外側面のうち屋外に露出する露出面は、図４に示されるように、外壁１０に平行な表面３１ａと、表面３１ａに交差する２つの側面３１ｂとで構成される。外郭部３１の少なくとも表面３１ａには、たとえば、複数の線状の凹部が設けられることにより縦方向のスリット柄が施されている。窓２０の両脇に配置される一対の側部装飾部材３０の表面３１ａの装飾（凹凸形状等）は、同じであることが望ましい。
【００３１】
上部装飾部材４０は、窓２０の上部において横方向に延びている。上部装飾部材４０は、窓２０の上端に隣接または近接し、正面視において一対の側部装飾部材３０の上端に交差している。なお、正面視において２つの部材が交差するという表現は、外壁１０の正面側から建物１を見た場合（図３等における矢印Ａ３方向から見た場合）に、両部材が交差して見えることを意味し、両部材は実際に交差していなくてもよい。
【００３２】
上部装飾部材４０の横幅寸法は、窓２０の横幅寸法よりも大きく、窓２０と一対の側部装飾部材３０の横幅寸法を足した寸法と大よそ等しい。上部装飾部材４０は、横幅方向に延在するベース部４１と、ベース部４１の中央に設けられたキーストーン部４２とで構成されている。ベース部４１の表面４１ａには、たとえば上下方向の段差が形成されている。図１に示されるように、屋外側から見たキーストーン部４２の形状は、階ごとに異なっている。これにより、全体的に単調な外観イメージとなってしまうことを防止することができる。
【００３３】
下部装飾部材５０は、窓２０の下部において横方向に延びている。下部装飾部材５０は、窓２０の下端に隣接または近接し、正面視において、一対の側部装飾部材３０に交差している。下部装飾部材５０の高さ寸法は、上部装飾部材４０の高さ寸法以上であるが、窓２０の高さ寸法よりも小さい。下部装飾部材５０の横幅寸法は、上部装飾部材４０の横幅寸法以上であり、窓２０と一対の側部装飾部材３０の横幅寸法を足した寸法よりも大きい。
【００３４】
下部装飾部材５０は、図４に示されるように、横幅方向に沿う断面がたとえば略Ｕ字状（コ字状）である外郭部５１と、外郭部５１と外壁１０の表面との間に形成される、空洞部としての空間５２とを有している。空間５２は上下方向に開放されており、外郭部５１は、典型的には、空間５２の上端および下端を閉鎖する蓋部および底部を有していない。そのため、下部装飾部材５０の空間５２は、各側部装飾部材３０の空洞部３２と連通している。なお、側部装飾部材３０の下端位置は、下部装飾部材５０の上端位置より下方であってもよい。つまり、空間５２内に、側部装飾部材３０の下端部が配置されてもよい。
【００３５】
本実施の形態において、外郭部５１の露出面は、外壁１０に平行な表面５１ａと、表面５１ａに交差する側面５１ｂとで構成される。外郭部５１の表面５１ａにも、図２では図示されない装飾が施されていることが望ましい。たとえば、外郭部５１の表面５１ａの装飾は、図１に示すように、外郭部５１自体を柵状に構成することによって形成されてもよい。これにより、外郭部５１の通気性が確保される。これに対し、外郭部５１の表面５１ａに、凹凸等の装飾が施される場合には、表面５１ａを構成する部分に小さい通気孔５３が設けられてもよい。
【００３６】
このように、本実施の形態によれば、窓２０の周囲にこれらの装飾部材３０，４０，５０が配置されることによって、窓２０の装飾性を向上させることができる。また、外壁１０には、複数の窓２０が整列して配置されているため、各窓２０を囲む装飾部材３０，４０，５０によって、全体的な外観のデザイン性が向上される。
【００３７】
また、下部装飾部材５０の空間５２内にアッパーライト９７を配置することで、夜間の建物１の外観を幻想的な雰囲気とすることができる。
【００３８】
また、通常、外壁１０には、室内側から引き出される配管部材９３，９４を屋外へと引き出すための貫通孔１２（図２）が設けられるが、この貫通孔１２を、側部装飾部材３０に覆われる位置に設けることで、貫通孔１２から引き出される配管部材９３，９４を側部装飾部材３０によって被覆することができる。すなわち、各側部装飾部材３０が、外郭部５１の上端から下端まで上下方向に延びる空洞部３２を有しているため、いずれか一方の側部装飾部材３０の空洞部３２内に、配管部材９３，９４を通すことができる。
【００３９】
なお、本実施の形態のように、側部装飾部材３０の外郭部３１が管状に構成される場合、外郭部３１の当接部３１ｃのうち、外壁１０に設けられた貫通孔１２に対面する部分に、配管部材９３，９４を挿通するための挿通孔３１ｄが設けられる。
【００４０】
典型的には、配管部材９３は、室内空間９０に設置された空調機９１から屋外へと引き出されて下方に延びるドレンホースであり、配管部材９４は、空調機９１から屋外へと引き出されて下方に延びる冷媒管である。
【００４１】
この場合、下部装飾部材５０の空間５２内に、冷媒管９４が接続される室外機９２を設置することができる。これにより、各階の室外機９２、ドレンホース９３、および冷媒管９４を、側部装飾部材３０および下部装飾部材５０によって隠すことができる。したがって、本実施の形態によれば、外観の意匠性を向上させることができる。
【００４２】
また、窓２０の両側に、空洞部３２を有する側部装飾部材３０が設けられるため、空調機９１が窓２０の左側および右側のいずれに設置されたとしても、一方の側部装飾部材３０によって配管部材９３，９４を被覆することができる。つまり、室内空間９０における空調機９１の設置位置の自由度が増す。
【００４３】
ここで、建物１は複数階建てであって、外壁１０が複数階に亘り延在していることから、地上階よりも上階（２階および３階）に位置する空調機９１に接続されたドレンホース９３は、地上付近まで垂れ下がる。そのため、本実施の形態の建物１は、上階の下部装飾部材５０よりも下方に延びるドレンホース９３も、下階の装飾部材により被覆されるように構成されている。
【００４４】
具体的には、少なくとも最上階を除く階（１階および２階）に設けられた上部装飾部材４０は、上下方向に貫通し、側部装飾部材３０の空洞部３２と連通する空洞部４３（図２）を有している。これにより、上階から垂れ下がるドレンホース９３を、上部装飾部材４０の空洞部４３および側部装飾部材３０の空洞部３２に挿通することができる。
【００４５】
さらに、本実施の形態では、最上階を除く階に設けられた上部装飾部材４０の上には、一対の縦装飾部材６０が配置されている。縦装飾部材６０は、少なくとも正面視において、上部装飾部材４０、および、１つ上の階に位置する下部装飾部材５０と交差している。
【００４６】
図５に示されるように、縦装飾部材６０は、側部装飾部材３０と同様の構造を有しており、たとえば略矩形状断面を有する管状の外郭部６１と、外郭部６１内に形成された空洞部６２とで構成されている。空洞部６２は、下部装飾部材５０の空洞部５２と上部装飾部材４０の空洞部４３とに連通する。そのため、上階側の下部装飾部材５０と下階側の上部装飾部材４０との間に配されるドレンホース９３を、縦装飾部材６０の空洞部６２内に挿通することができる。したがって、複数階に跨って延びるドレンホース９３を外部に露出させることなく、装飾部材３０，４０，５０，６０によって被覆することができる。
【００４７】
また、縦装飾部材６０は、上部装飾部材４０を挟んで側部装飾部材３０と整列した位置で上下方向に延びている。縦装飾部材６０の外郭部６１の表面６１ａには、側部装飾部材３０の外郭部３１の表面３１ａと同じ、縦方向のスリット柄が形成されている。これにより、縦装飾部材６０と側部装飾部材３０との一体感が生じるため、装飾部材３０，４０，５０，６０によって、全体的な外観のデザイン性を十分に向上させることができる。
【００４８】
また、本実施の形態では、外壁１０の外縁部にも大型の外縁装飾部材７１，７２が設けられているため、重厚感のあるリゾートホテルのような印象を強調することができる。
【００４９】
なお、外壁１０に、排気ダクト９６の排気口９５または換気口が設けられる場合には、図２および図５に示すように、縦装飾部材６０によって排気口９５が被覆されてもよい。この場合、一対の縦装飾部材６０のうちの一方側（図面上右側）にドレンホース９３が挿通され、他方側（図面上左側）の縦装飾部材６０によって排気口９５が被覆されることが望ましい。他方側の縦装飾部材６０の外郭部６１には、通気用の開口６３が設けられている。
【００５０】
図２および図５に示されるように、開口６３は、外郭部６１の表面６１ａを構成する部分に形成される。開口６３は、一方側の縦装飾部材６０の外郭部６１（および側部装飾部材３０の外郭部３１）の装飾と調和するように、複数の縦長孔を有しており、スリット状となっている。これにより、開口６３の存在を目立たなくすることができる。
【００５１】
なお、最上階の外壁１０には、縦装飾部材６０が配置されておらず、最上階において、上部装飾部材４０と外縁装飾部材７１との間には、外壁面が露出している。このような場合、最上階に位置する排気口９５は、上部装飾部材４０により被覆されてもよい。この場合、上部装飾部材４０のキーストーン部４２の外郭部に、排気口９５から排出される空気を屋外に導くための通気孔（図示せず）が設けられればよい。また、最上階に位置する上部装飾部材４０は、空洞部４３を有していなくてもよい。
【００５２】
以上説明したように、本実施の形態に係る建物１によれば、外壁１０の表面に取り付けられた複数種類の装飾部材によって、外壁１０の表面に配される配管部材９３，９４や室外機９２が露出することによる意匠性の低下を防止するとともに、外観のデザイン性を向上させることができる。
【００５３】
また、外壁１０自体に凹凸を設けることなくデザイン性が向上されるため、本実施の形態によれば、建物１のコスト抑制と施工性の向上とを実現することができる。また、装飾部材の装飾を変えることで、基本構造が同じ複数の建物１において、雰囲気の異なる外観を造り出すこともできる。
【００５４】
＜実施の形態２＞
上記実施の形態１では、窓２０の大きさ（高さ寸法および横幅寸法）が統一されていたのに対し、本実施の形態では、窓２０の横幅寸法が上下階で異なる。以下に、実施の形態１と異なる点のみ詳細に説明する。
【００５５】
図６は、本発明の実施の形態２に係る建物の外観を模式的に示す正面図である。図７は、図６のＶＩＩ−ＶＩＩ線に沿う横断面図である。なお、図６では、２階建ての建物の例が示されている。また、空調機９１に接続される冷媒管および室外機の図示は省略している。
【００５６】
図６に示すように、横幅寸法の広い方の窓２０Ａの両側部に位置する側部装飾部材３０Ａは、複数階に亘って上下方向に延びている。側部装飾部材３０Ａは、横幅寸法の小さい方の窓２０の両側部に位置する側部装飾部材３０との間に、間隔をあけて配置される。側部装飾部材３０Ａの横幅寸法は、側部装飾部材３０の横幅寸法よりも大きく、たとえばその２倍以上である。また、側部装飾部材３０Ａは、窓２０Ａの上部に位置する上部装飾部材４０Ａの両側端に交差している。
【００５７】
側部装飾部材３０Ａは、地上から図１に示した外縁装飾部材７１まで延びる、柱状の装飾部材であることが望ましい。図７に示すように、側部装飾部材３０Ａは、たとえば半円状に構成されており、湾曲による装飾が施されている。
【００５８】
このように、外壁１０に、横幅寸法が異なる複数の窓２０，２０Ａが配置される場合においても、互いに長さ、幅、および装飾の異なる側部装飾部材３０，３０Ａを組み合わせることで、外観のデザイン性を向上させることができる。また、柱状の側部装飾部材３０Ａも上下方向に延びる空洞部３２Ａを有しており、この空洞部３２Ａは、上部装飾部材４０Ａの空洞部４３Ａと連通している。空洞部４３Ａは、縦装飾部材６０の空洞部６２と連通する。そのため、縦装飾部材６０の空洞部６２から下方に引き出されるドレンホース９３を、上部装飾部材４０Ａの空洞部４３Ａにおいて方向転換させる（横引きする）ことで、柱状の側部装飾部材３０Ａの空洞部３２Ａへと導くことができる。したがって、本変形例においても、ドレンホース９３を露出することなく配置することができる。
【００５９】
なお、建物１の周囲（外壁１０の前方）に植栽や立壁が設けられる場合には、これらによって、地上階に位置する窓２０の下方に配置される室外機９２を隠せる場合がある。そのため、このような場合には、図６に示すように、地上階の下部装飾部材を省いてもよい。地上階に下部装飾部材を配置する場合には、柱状の側部装飾部材３０Ａの側部に交差するように下部装飾部材が配置される。この場合、下部装飾部材の横幅寸法は、上部装飾部材４０Ａの横幅寸法と同程度としてもよい。
【００６０】
なお、側部装飾部材３０Ａは、地上から外縁装飾部材７１（図１）まで延びている形態に限定されず、複数階に亘って上下方向に延びているだけであってもよい。また、図６において部分的に示されるように、１つの階に複数の窓２０Ａが並んで設けられる場合には、隣り合う窓２０Ａ間に位置する側部装飾部材３０Ａを１つ（共通）としてもよい。
【００６１】
＜他の実施形態＞
以上説明した各実施の形態では、正面視において、上部装飾部材４０の下端および下部装飾部材５０の上端に突き当たる（交差する）ように配置された一対の側部装飾部材３０が、少なくとも１つの階に設けられることとしたが、建物１は、このような側部装飾部材３０を有さなくてもよい。
【００６２】
すなわち、側部装飾部材は、複数階に亘って上下方向に延び、上部装飾部材および下部装飾部材が、一対の側部装飾部材間に配置されてもよい。この場合、側部装飾部材は、異なる階に設けられた複数の窓２０に隣接または近接して配置される。このような側部装飾部材は、図１に示した外縁装飾部材７２や、図６に示した側部装飾部材３０Ａのように、地上から外縁装飾部材７１にまで延びていてもよい。
【００６３】
また、外壁１０に室外機９２を配置しない場合には、下部装飾部材５０の外郭部５１に蓋部および底部を設け、これらに、配管部材９３，９４を挿通するための孔が設けられているだけであってもよい。また、下部装飾部材５０の空洞部の大きさは、空間５２よりも小さくてもよい。
【００６４】
また、上記各実施の形態では、縦装飾部材６０にスリット状の開口６３が設けられることとしたが、縦装飾部材６０と同じスリット柄が施された側部装飾部材３０に、スリット状の通気用開口を設けてもよい。
【００６５】
また、一対の縦装飾部材６０が、一対の側部装飾部材３０と整列した位置で上下方向に延びていることとしたが、限定的ではない。たとえば、配管部材が挿通される方にのみ、縦方向部材６０が設けられてもよい。
【００６６】
また、上記各実施の形態では、外壁１０の外縁部を装飾する外縁装飾部材７１，７２が設けられることとしたが、これらは必須ではない。
【００６７】
また、窓２０の周囲全体が装飾部材３０（３０Ａ），４０（４０Ａ），５０により囲まれることとしたが、少なくとも、窓２０の側部に、側部装飾部材３０（３０Ａ）が設けられていればよい。
【００６８】
また、上記各実施の形態において、建物１はホテルであることとしたが、限定的ではなく、他種の施設や集合住宅であってもよい。あるいは、戸建ての住宅であってもよい。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７０】
１  建物、１０  外壁、１２  貫通孔、１３  屋根、２０，２０Ａ  窓、３０，３０Ａ  側部装飾部材、３２，３２Ａ，４３，４３Ａ，５２，６２  空洞部、４０，４０Ａ  上部装飾部材、５０  下部装飾部材、５３  通気孔、６０  縦装飾部材、６３  開口、７１，７２  外縁装飾部材、９０  室内空間、９１  空調機、９２  室外機、９３，９４  配管部材、９５  排気口、９６  排気ダクト。
【図１】
0006730854.tif 000002
【図２】
0006730854.tif 000003
【図３】
0006730854.tif 000004
【図４】
0006730854.tif 000005
【図５】
0006730854.tif 000006
【図６】
0006730854.tif 000007
【図７】
0006730854.tif 000008